(57)【要約】【課題】  ウエットティッシュ等の湿潤材を収納可能で、占有面積の小さい、且つ取出し口を閉じる蓋をワンタッチで開くことができる構造とすることの可能な湿潤材収納用容器を提供する。【解決手段】  湿潤材を収納する容器として、縦型の容器を縦割りした形態のフロントボディ２とリアボディ３を備え、それぞれの周縁部分に形成した嵌合部５、６を互いに嵌合させることで気密性の高い縦型の容器に組み立てることの可能なものを用い、フロントボディ２には、側面の上端領域から天面にかけた領域に湿潤材を取り出すための取出し口１５を形成し、その取出し口１５を、取出し口の上端側に設定した回転中心軸線を中心として旋回可能な蓋１６で閉じる構成とする。【選択図】  図１
2006282243.tif 000002
【特許請求の範囲】
【請求項１】
湿潤材を収納する容器であって、縦型の容器を縦割りした形態のフロントボディとリアボディを備え、該フロントボディとリアボディは、それぞれの周縁部分に気密性良く互いに嵌合させうる嵌合部を有し、この嵌合部を互いに嵌合させることで縦型の容器に組み立てることの可能な構造を備えており、前記フロントボディは、縦型の容器に組み立てた状態で該縦型の容器の、少なくとも天面に近接した側面領域に、収納した湿潤材を取り出すための取出し口を有しており、更に、前記フロントボディには、前記取出し口の上端側に設定した回転中心軸線を中心として旋回させることで前記取出し口を開閉可能な蓋を設けていることを特徴とする湿潤材収納用容器。
【請求項２】
前記取出し口は、前記縦型の容器の側面上端領域からそれに続く天面の一部領域に渡って形成され、前記蓋の回転中心軸線は前記容器の天面領域に配置されていることを特徴とする請求項１記載の湿潤材収納用容器。
【請求項３】
前記フロントボディは前記取出し口を形成する領域に、前記縦型の容器の天面及び側面の最外面よりも内側に引っ込んで傾斜した壁部を有すると共にその壁部に前記取出し口を形成しており、前記蓋の回転中心軸線は前記容器の天面領域に配置されていることを特徴とする請求項１記載の湿潤材収納用容器。
【請求項４】
前記蓋が、その蓋で前記取出し口を閉じた状態とした時に、その蓋の周辺に位置する容器天面及び側面と実質的に同一面となるＬ字型の外面を備えていることを特徴とする請求項３記載の湿潤材収納用容器。
【請求項５】
前記フロントボディが、前記取出し口を取り囲むように形成された取出し口側リブと、その取出し口側リブの外側の受け面とを備え、前記蓋が前記取出し口側リブの外側に嵌合する蓋側リブを備え、該蓋側リブの高さが、前記蓋を閉じた時に前記蓋側リブの先端が前記受け面にほぼ接する位置となるように定められていることを特徴とする請求項１から４のいずれか１項記載の湿潤材収納用容器。
【請求項６】
前記蓋を前記フロントボディに対して開方向に付勢するばねを設けると共に、前記蓋を閉じた状態に保持する係止手段を設けたことを特徴とする請求項１から５のいずれか１項記載の湿潤材収納用容器。
【請求項７】
前記係止手段が、前記蓋の先端部分に形成された係止用凸部と、前記フロントボディの、閉じた状態の蓋の先端部分に面する領域に隆起した形状に形成された押しボタン部を備え、該押しボタン部が前記蓋の先端部分に面する側に平面状の側壁を備えると共にその側壁に前記蓋の係止用凸部に係止する凸部を形成しており、前記押しボタン部を押した時に前記凸部を形成している側壁が前記蓋の係止用凸部から離れる方向に傾く構造であることを特徴とする請求項６記載の湿潤材収納用容器。
【請求項８】
前記押しボタン部が、前記凸部を形成した側壁の根本の部分に該側壁を傾き易くする直線状の薄肉部を有すると共に、前記凸部を形成した側壁以外の側壁領域には変形を容易とする薄肉のＵ字状部分を有していることを特徴とする請求項７記載の湿潤材収納用容器。
【請求項９】
前記蓋は、前記蓋を前記フロントボディに対して開方向に付勢するコイルばねを収納するばね収納部を有しており、該ばね収納部は、前記コイルばねを、該コイルばねの中心軸線に直角方向に押し込むことで挿入は可能であるが抜け落ちは防止するように前記コイルばねの外径よりも小サイズに作られた挿入口と、前記コイルばねの一端の接線方向に延び出した部分を回転しないように拘束する係止孔と、前記コイルばねの他端の接線方向に延び出した部分の旋回を許容する溝を備えていることを特徴とする請求項６から８のいずれか１項記載の湿潤材収納用容器。
【請求項１０】
前記蓋は前記フロントボディとは別部品として製造されており、前記フロントボディは、前記蓋を取り付けた時に該蓋の回転中心軸線となる位置で且つ前記蓋の両端に面する位置に支持ピンを備え、前記蓋はその両端に、前記支持ピンを嵌合させる軸受孔を有することを特徴とする請求項１から９のいずれか１項記載の湿潤材収納用容器。
【請求項１１】
前記フロントボディに形成されている前記取出し口は、前記フロントボディを立てた状態において、前記取出し口の下端縁を略Ｖ字状とすると共に、そのＶ字の下端領域に、横側から一方が他方の下側に入り込むように延びる形状に形成された２個の横舌片の間に斜めに形成された狭い第一通路と、その第一通路につながるように下側の横舌片の先端領域に形成された第二通路と、その第二通路につながるように且つ前記下側の横舌片とその下方に上向きに延びるように形成された縦舌片との間に形成された狭い第三通路を有していることを特徴とする請求項１から１０のいずれか１項記載の湿潤材収納用容器。
【請求項１２】
前記横舌片が、その根本部分を支点として変形しうるよう、前記根本部分に易変形部を形成していることを特徴とする請求項１１記載の湿潤材収納用容器。
【請求項１３】
前記横舌片が補強用リブを有することを特徴とする請求項１２記載の湿潤材収納用容器。
【請求項１４】
前記フロントボディの両側縁の中間部分に、前記リアボディに係止するためのフックがヒンジ部を介して連設されていることを特徴とする請求項１から１３のいずれか１項記載の湿潤材収納用容器。
【請求項１５】
前記リアボディは前記フロントボディに設けているフックで係止される領域に凹みを有すると共にその凹みの一端に前記フックに係止する凸部を形成していることを特徴とする請求項１４記載の湿潤材収納用容器。
【請求項１６】
枚葉タイプの複数枚のウエットティッシュを、各ウエットティッシュの一部がそれに続く次のウエットティッシュの一部の中に折り込まれる形態で積み重ね、袋内に収容したウエットティッシュ袋と、そのウエットティッシュ包装袋を、ウエットティッシュが縦方向となるように収納した請求項１から１５のいずれか１項記載の湿潤材収納用容器を備えたウエットティッシュ包装体。
【発明の詳細な説明】
【技術分野】
【０００１】
本発明は、湿潤状態とした紙、布等の湿潤材を収納し、必要に応じてその湿潤材を取り出すことの可能な湿潤材収納用容器並びにその湿潤材収納用容器にウエットティッシュを収納した構成のウエットティッシュ包装体に関する。
【背景技術】
【０００２】
従来より、ウエットティッシュ等の、湿潤状態とした紙、布等の湿潤材を収納し、必要に応じ引き出して使用することを可能とした容器が使用されている。このような容器の代表的なものは、円筒状の容器であり、その中に巻き取った形態の湿潤材を立てた状態で収納し、容器の天面に設けた引出し口から湿潤材を引き出し、適当な位置で切り離して使用するものであった。この引出し口には容器内部の乾燥を防止するためキャップが取り付けられている。また、円筒状の容器上端の開口部周壁の上縁から切込み部を設け、その切込み部から湿潤材を引き出す構成とすると共に容器上端開口部周縁に旋回可能な蓋を設け、その蓋の前記切込み部と対応する位置に取出し口を形成し、蓋を回転させて前記切込み部を閉じたり、開いたりする構成の容器も知られている（例えば、実開平７−９７３５号公報参照）。
【０００３】
一方、枚葉形態のウエットティッシュを重ねた状態で収納した容器も知られている。枚葉のウエットティッシュを収納する容器は、底面の最大寸法が高さよりもかなり小さいサイズの箱状の容器（横型の容器）であり、その中にウエットティッシュを水平状態に収納し、容器の天面中央に形成した取出し口からウエットティッシュを引き出す構成である。そして、その取出し口を閉じるため、ヒンジによって旋回可能な蓋を設けている（例えば、特開平９−５８７２５号公報参照）。
【０００４】
しかしながら、上記した円筒状の容器を用いたものは、巻き取った状態の連続した湿潤材しか使用できず、枚葉のウエットティッシュの収納には使用できないという問題があった。また、取出し口の開閉にはキャップや蓋を回転させる必要があり、ワンタッチでの操作ができず、取扱いにくいという問題もあった。一方、枚葉のウエットティッシュを用いたものでは、ヒンジによって取り付けた蓋にばねを連結して常に開方向に付勢しておき、その蓋を閉位置に拘束する係止片を解除することで蓋をワンタッチで開くことができ、取扱い性には優れるが、ウエットティッシュを水平に収納するため、円筒状の容器に比べて占有面積が大きくなり、場所を取るという問題があった。
【特許文献１】実開平７−９７３５号公報
【特許文献２】特開平９−５８７２５号公報
【発明の開示】
【発明が解決しようとする課題】
【０００５】
本発明はかかる問題点に鑑みてなされたもので、枚葉のウエットティッシュ等の湿潤材を収納可能でありながら占有面積を小さくし、且つ取出し口を閉じる蓋をワンタッチで開くことができる構造とすることの可能な湿潤材収納用容器並びにその湿潤材収納用容器にウエットティッシュを収納した構成のウエットティッシュ包装体を提供することを課題とする。
【課題を解決するための手段】
【０００６】
本願請求項１に係る発明は、上記課題を解決するため、紙或いは布等の湿潤材を収納する容器として、縦型の容器を縦割りした形態のフロントボディとリアボディを備え、該フロントボディとリアボディは、それぞれの周縁部分に気密性良く互いに嵌合させうる嵌合部を有し、この嵌合部を互いに嵌合させることで縦型の容器に組み立てることの可能な構造のものを用い、前記フロントボディには、縦型の容器に組み立てた状態で該縦型の容器の、少なくとも天面に近接した側面領域に、収納した湿潤材を取り出すための取出し口を形成し、更に、その取出し口の上端側に設定した回転中心軸線を中心として旋回させることで前記取出し口を開閉可能な蓋を設けるという構成としたものである。
【０００７】
請求項２に係る発明は、上記した請求項１に係る湿潤材収納用容器において、前記取出し口を、前記縦型の容器の側面上端領域からそれに続く天面の一部領域に渡って形成し、前記蓋の回転中心軸線を前記容器の天面領域に配置するという構成としたものである。
【０００８】
請求項３に係る発明は、上記した請求項１に係る湿潤材収納用容器において、前記フロントボディの、前記取出し口を形成する領域に、前記容器の天面及び側面の最外面よりも内側に引っ込んで傾斜した壁部を設け、その壁部に前記取出し口を形成し、前記蓋の回転中心軸線は前記容器の天面領域に配置するという構成としたものである。
【０００９】
請求項４に係る発明は、上記した請求項３に係る湿潤材収納用容器において、前記蓋には、その蓋で前記取出し口を閉じた状態とした時に、その蓋の周辺に位置する容器天面及び側面と実質的に同一面となるＬ字型の外面を設けるという構成としたものである。
【００１０】
請求項５に係る発明は、上記した請求項１から４のいずれか１項記載の湿潤材収納用容器において、前記フロントボディが、前記取出し口を取り囲むように形成された取出し口側リブと、その取出し口側リブの外側の受け面とを備え、前記蓋が前記取出し口側リブの外面に嵌合する蓋側リブを備え、該蓋側リブの高さが、前記蓋を閉じた時に前記蓋側リブの先端が前記受け面にほぼ接する位置となるように定められていることを特徴とするものである。
【００１１】
請求項６に係る発明は、上記した請求項１から５のいずれか１項記載の湿潤材収納用容器において、前記蓋を前記フロントボディに対して開方向に付勢するばねを設けると共に、前記蓋を閉じた状態に保持する係止手段を設けたことを特徴とするものである。
【００１２】
請求項７に係る発明は、上記した請求項６記載の湿潤材収納用容器において、前記係止手段を、前記蓋の先端部分に形成された係止用凸部と、前記フロントボディの、閉じた状態の蓋の先端部分に面する領域に隆起した形状に形成された押しボタン部を備え、該押しボタン部が前記蓋の先端部分に面する側に平面状の側壁を備えると共にその側壁に前記蓋の係止用凸部に係止する凸部を形成しており、前記押しボタン部を押した時に前記凸部を形成している側壁が前記蓋の係止用の凸部から離れる方向に傾く構造としたことを特徴とするものである。
【００１３】
請求項８に係る発明は、上記した請求項７記載の湿潤材収納用容器において、前記押しボタン部を、前記凸部を形成した側壁の根本の部分に該側壁を傾き易くする直線状の薄肉部を有すると共に、前記凸部を形成した側壁以外の側壁領域には変形を容易とする薄肉のＵ字状部分を有する構造としたことを特徴とするものである。
【００１４】
請求項９に係る発明は、上記した請求項６から８のいずれか１項記載の湿潤材収納用容器において、前記蓋が、前記蓋を前記フロントボディに対して開方向に付勢するコイルばねを収納するばね収納部を有しており、該ばね収納部は、前記コイルばねを、該コイルばねの中心軸線に直角方向に押し込むことで挿入は可能であるが抜け落ちは防止するように前記コイルばねの外径よりも小サイズに作られた挿入口と、前記コイルばねの一端の接線方向に延び出した部分を回転しないように拘束する係止孔と、前記コイルばねの他端の接線方向に延び出した部分の旋回を許容する溝を備えるという構成としたものである。
【００１５】
請求項１０に係る発明は、上記した請求項１から９のいずれか１項記載の湿潤材収納用容器において、前記蓋を前記フロントボディとは別部品として製造し、そのフロントボディには、前記蓋を取り付けた時に該蓋の回転中心軸線となる位置で且つ前記蓋の両端に面する位置に支持ピンを形成し、前記蓋にはその両端に、前記支持ピンを嵌合させる軸受孔を形成しておくという構成としたものである。
【００１６】
請求項１１に係る発明は、上記した請求項１から１０のいずれか１項記載の湿潤材収納用容器において、前記フロントボディに形成する取出し口を、前記フロントボディを立てた状態において、前記取出し口の下端縁をＶ字状とすると共に、そのＶ字の下端領域に、横側から一方が他方の下側に入り込むように延びる形状に形成された２個の横舌片の間に斜めに形成された狭い第一通路と、その第一通路につながるように下側の横舌片の先端領域に形成された第二通路と、その第二通路につながるように且つ前記下側の横舌片とその下方に上向きに延びるように形成された縦舌片との間に形成された狭い第三通路を設けるという構造としたものである。
【００１７】
請求項１２に係る発明は、上記した請求項１１記載の湿潤材収納用容器において、前記横舌片が、その根本部分を支点として変形しうるよう、前記根本部分に易変形部を備えた構造としたものである。
【００１８】
請求項１３に係る発明は、上記した請求項１２記載の湿潤材収納用容器において、前記横舌片に補強用リブを設けたことを特徴とするものである。
【００１９】
請求項１４に係る発明は、上記した請求項１から１３のいずれか１項記載の湿潤材収納用容器において、前記フロントボディの両側縁の中間部分に、前記リアボディに係止するためのフックをヒンジ部を介して連設しておくという構成としたものである。
【００２０】
請求項１５に係る発明は、上記した請求項１４記載の湿潤材収納用容器において、前記リアボディの、前記フロントボディに設けているフックで係止される領域に凹みを形成すると共にその凹みの一端に前記フックに係止する凸部を形成したことを特徴とするものである。
【００２１】
請求項１６に係る発明は、上記した請求項１から１５のいずれか１項記載の湿潤材収納用容器に、枚葉タイプの複数枚のウエットティッシュを、各ウエットティッシュの一部がそれに続く次のウエットティッシュの一部の中に折り込まれる形態で積み重ね、袋内に収容したウエットティッシュ袋を、ウエットティッシュが縦方向となるように収納してなるウエットティッシュ包装体である。
【発明の効果】
【００２２】
本発明の湿潤材収納用容器は、フロントボディとリアボディで縦型の容器を組み立てる構成としているので、占有面積を小さくすることができ、しかも内部の湿潤材を取り出すための取出し口は縦型の容器の側面の天面近傍の領域に、或いは側面の天面近傍の領域から天面にかけた領域に設けたことで、縦型の容器の頂部近傍から湿潤材を斜め上方向に引き出すことが可能となり、湿潤材の取り出しがきわめて容易となる。ここで、取出し口を斜め上方を向くように傾斜させて設けておくと、湿潤材を、上方向に取り出したり、横方向に取り出したり、斜め上方に取り出したりでき、取り出す人の好みに応じて取り出しの自由度が大きくなり、取り出しが一層容易となる。更に、取出し口を閉じるための蓋は、取出し口の上端側を回転中心軸線として旋回することで開閉する構成としたことで、蓋を斜め上方に大きく開いて取出し口を大きく開くことが可能であり、万一、湿潤材の先端が容器内に落ち込んでも、取出し口から指を差し込んで容易に取り出すことができる。旋回して開く構造の蓋は容易にワンタッチで開くことができる構造とすることができ、操作性の良い容器を提供できる。また、取出し口を蓋で気密性良く閉じるとか、蓋をワンタッチで開くことができる構造とするには、取出し口を形成するフロントボディの構造をある程度複雑とする必要があるが、本発明では縦型の容器を縦割りした形態としているで、複雑な構造でも成形可能である。かくして、本発明により、占有面積の小さい縦型の、且つ取扱い性の良い湿潤材収納用容器を提供できる。本発明の湿潤材収納用容器は任意の湿潤材の収納に使用可能であるが、枚葉のウエットティッシュの収納にも好適に使用できる。
【発明を実施するための最良の形態】
【００２３】
以下、図面を参照して本発明の好適な実施の形態を説明する。図１（ａ）、（ｂ）は本発明の実施の形態に係る湿潤材収納用容器を、蓋を閉じた状態及び蓋を開いた状態で示す概略斜視図、図２はその湿潤材収納用容器を分解して且つその中に入れるウエットティッシュ袋と共に示す概略斜視図、図３（ａ）、（ｂ）、（ｃ）はその湿潤材収納用容器の概略正面図、概略側面図、及び概略平面図、図４はその湿潤材収納用容器の概略断面図である。全体を参照符号１で示す湿潤材収納用容器は、ウエットティッシュ等の湿潤状態の紙や布等の湿潤材を収納し、必要に応じて取り出すこの可能なものであり、縦型の容器を縦割りした形態のフロントボディ２とリアボディ３を備えている。ここで、縦型の容器とは、直立状態に置いて使用することが可能で、且つ水平面内での最大寸法よりも高さの高い容器を意味している。このようにフロントボディ２とリアボディ３で縦型の容器を形成する構成としたことにより、占有面積を小さくできる利点が得られる。
【００２４】
フロントボディ２とリアボディ３は、樹脂の成形、例えば射出成形によって作られるもので、それぞれの周縁部分に気密性良く互いに嵌合させうる嵌合部５、６を有している。嵌合部５、６は図５（ａ）に拡大して示すように、一方の嵌合部５は先端開口が狭くなった溝５ａを備え、他方の嵌合部６はその溝５ａ内に嵌合可能で先端に厚い部分を有する突出部６ａを備えており、突出部６ａを溝５ａ内に嵌合させることで気密性良く連結することができる。ここで、この嵌合部５、６はフロントボディ２とリアボディ３の全周縁に渡って形成されており、この嵌合部５、６を互いに嵌合させることでフロントボディ２とリアボディ３を気密性良く連結し、縦型の容器に組み立てることができる。なお、嵌合部５、６に形成されているアンダーカットは、フロントボディ２及びリアボディ３の全周に渡って同一としてもよいが、ほぼ長方形状の周縁を連結する場合には、各角部の嵌合をきつくすることで両者の確実な連結並びに良好な気密性が確保される。このため、角部に形成した嵌合部５、６のアンダーカットは、他の領域よりも大きくしておくことが好ましい。嵌合部５、６を相互に嵌合させる際に、その嵌合動作を容易に行うため、フロントボディ２には適当な位置にガイド７を形成している。また、リアボディ３の嵌合部６には、嵌合部５と嵌合させた時に外側の側面５ｂ、６ｂがほぼ同一面となるようにふくらみ部６ｃが形成されている。この構成により、フロントボディ２とリアボディ３を嵌合させた時の外観がきわめて良好となる。
【００２５】
フロントボディ２とリアボディ３の両側縁同士の連結は、嵌合部５、６の嵌合のみによって行ってもよいが、例えば１５ｃｍを越えるような長い側縁同士の連結の場合には、単に嵌合部５、６のみの嵌合では、落下等の衝撃を与えた時に嵌合部５、６の間に隙間が生じて気密性が悪くなるとか嵌合が外れるといったことが生じることがある。そこで、そのような嵌合部５、６の嵌合が外れることを防止するため、この実施の形態では、フロントボディ２の側縁の高さ方向の中間領域に、図５（ｂ）に示すように、リアボディ３に係止するためのフック９をヒンジ部９ａを介して連設している。一方、リアボディ３のフロントボディ９で係止される領域には、図６で示すように凹み１０を形成すると共にその凹み１０の一端（フロントボディ２側の端部にフック９に係止する凸部１１を形成している。この構成により、フック９を凸部１１に係止することでフロントボディ２とリアボディ３の連結を確実とし、落下した時の衝撃等が加わった場合でも、嵌合部５、６の嵌合が外れたり、隙間ができて気密が破れるといったことを防止できる。図５（ｂ）において、フック９に対応するリアボディ３の領域では、フック６をリアボディ３の外面に極力密着させて見栄えを良くするよう、ふくらみ部６ｃは切り欠かれている。なお、フック９及び凹み１０は、フロントボディ２及びリアボディ３の側縁の中央に１組設ける場合に限らず、必要に応じ、適当な間隔を開けて複数組設けても良い。
【００２６】
図１〜図４において、フロントボディ２には、そのフロントボディ２とリアボディ３とを縦型の容器に組み立てた状態で該縦型の容器の前面側に位置する側面で且つ天面に近接した領域から天面領域の一部にかけて取出し口１５を形成し、その取出し口１５を天面領域に設定した回転中心軸線を中心として旋回可能な蓋１６で開閉する構成としている。蓋１６は、フロントボディ２と一体構造に、すなわちヒンジ部を介して連設された構造に作ってもよいが、この実施の形態では、フロントボディ２とは別部品として、樹脂の成形、例えば射出成形によって作られている。以下、フロントボディ２の取出し口１５を形成した領域及び蓋１６の構造を更に詳細に説明する。
【００２７】
図７はフロントボディ２を、それに取り付けている蓋１６を開いた状態で示す概略断面図、図８はフロントボディ２を蓋を取り外した状態で示す概略正面図、図９は、図８のＡ−Ａ概略断面図、図１０（ａ）、（ｂ）、（ｃ）、（ｄ）は、蓋１６の概略側面図、概略裏面図、概略断面図及び概略端面図である。フロントボディ２は、取出し口１５を形成する領域に、該フロントボディ２とリアボディ３で縦型の容器を形成した状態における天面の最外面１８と側面の最外面１９よりも内側に引っ込んだ位置で、斜め上方を向くように傾斜した壁部２０を有し、その壁部２０に取出し口１５が形成されている。なお、ここで「傾斜した」とは、直線が傾いた状態に限定されず、図面に示したように湾曲した線が斜めになった状態をも含むものである。このように傾斜した壁部２０に取出し口１５を設ける構成としたことで、大きい面積の取出し口１５を形成できると共にその取出し口１５が斜め上方を向いているので、縦型の容器内に収容した湿潤材を、上方向に取り出したり、横方向に取り出したり、斜め上方に取り出したりでき、取り出す人の好みに応じて取り出しの自由度が大きくなり、直立させた容器から湿潤材を引き出しやすいという利点が得られる。また、大面積の取出し口１５を形成したことで、斜め上方から容器内に指を入れ易く、湿潤材が容器内に入り込んでいても、容易につまんで引き出すことができる。
【００２８】
取出し口１５を閉じるための蓋１６は、天面領域で且つ最外面１８よりも内側に設定した回転中心軸線Ｏ−Ｏを中心に旋回可能に設けられる。更に具体的には、フロントボディ２の傾斜した壁部２０の両端から最外面１９に向かって延びる垂直壁２２の上端近傍に、互いに向かい合って突出するように支持ピン２３が形成され、その支持ピン２３に、蓋１６の両端に形成されている軸受孔２５を嵌合することで、蓋１６はフロントボディ２に対して回転中心軸線Ｏ−Ｏを中心に旋回可能に保持される。ここで、フロントボディ２側に支持ピン２３を形成し、蓋１６側には軸受孔２５を形成する構成としたことで、フロントボディ２側に軸受孔を形成する必要がなく、フロントボディ２に空気漏れの恐れのある貫通孔を形成する必要がなくなる。また、フロントボディ２側に軸受孔として貫通孔に代えて底を閉じた孔を形成することも考えられるが、そのような孔は孔の底を閉じるためのボス部を必要とし、成形が難しくなる（そのボス部の型抜きができなくなる）。本実施の形態では、蓋１６側に軸受孔２５を形成したことでこれらの問題点を回避している。
【００２９】
蓋１６は、その蓋１６で取出し口１５を閉じた状態とした時に、その蓋１６の周辺に位置する容器天面の最外面１８及び容器側面の最外面１９と実質的に同一面となるようにＬ字型の外面２８、２９を備えている。この構成により、図１（ａ）に示すように、蓋１６を閉じた状態では、蓋の外面２８、２９が、それに隣接したフロントボディ２の外面１８、１９とほぼ同一面となり、きわめて良好な外観を与える。また、図４から良く分かるように、蓋１６を閉じた状態において、取出し口１５と蓋１６との間に空間部が生じているため、後述するように取出し口１５に、次に取り出すウエットティッシュの先端部分を引っかけておく際に、その先端部分が取出し口１５と蓋１６との間の空間部に位置することで、蓋１６で押しつぶされてしまうということがなく、ウエットティッシュを取り出しやすくなる。
【００３０】
この種の湿潤材収納用の容器では取出し口１５を極力気密的に閉じることが必要である。そこで、この実施の形態では、特に図７〜図９に示すように、取出し口１５の全周を取り囲むように、取出し口側リブ３０を形成すると共にその外側には受け面３１を形成している。受け面３１は取出し口１５の全周に渡って設けることが好ましいが、場所的な制約等があれば、一部領域では省略してもよい。例えば、この実施の形態では環状に形成している取出し口側リブ３０の側方及び下方には受け面３１を形成しているが上方には受け面を形成してない。一方、蓋１６には、取出し口側リブ３０の全周を取り囲むように、その外面に嵌合する蓋側リブ３３を形成している。この蓋側リブ３３は、蓋１６を回転中心軸線Ｏを中心として旋回させて取出し口側リブ３０にかぶせた時、蓋側リブ３３が取出し口側リブ３０に良好に嵌合するように、その形状が定められている。更に、蓋側リブ３３の高さは、蓋１６を閉じた時に蓋側リブ３３の先端３３ａがフロントボディ２側の受け面３１にほぼ接する位置となるように定められている。すなわち、蓋側リブ３３の先端の湾曲は、受け面３１の湾曲に一致するように定められている。この構成により、フロントボディ２に受け面３１を一体構造で（同じ材質で）形成した場合においても、良好な気密性を確保できる利点が得られる。なお、取出し口側リブ３０と蓋側リブ３３との嵌合は、厳密な意味での嵌合に限らず、両者間に多少のギャップがあっても、適度な気密性は保てるので、本明細書で取出し口側リブ３０と蓋側リブ３３について用いる用語「嵌合」は多少のギャップがある場合も含むものとする。多少のコストアップがあっても気密性を一層向上させたい場合には、受け面３１を柔らかい材質で形成するとか、受け面３１の上に適当なパッキン材を配置してもよい。受け面３１をフロントボディ２を形成する材料よりも柔らかい材料で形成するには、フロントボディ２の製造を異材質成形或いはインサート成形で行えばよい。
【００３１】
蓋１６を閉位置に保持した状態から、ワンタッチでその蓋１６を開くことができるようにするため、この蓋１６にはコイルばね３５が取り付けられている。図１１は蓋１６にこのコイルばね３５を保持させるためのばね収納部３６を示すものである。このばね収納部３６はコイルばね３５を回転中心軸線Ｏ−Ｏ上に位置するように保持する保持空間３６ａと、コイルばね３５を、そのコイルばね３５の中心軸線に直角方向に押し込むことで挿入は可能であるが抜け落ちは防止するように前記コイルばねの外径よりも小サイズに作られた挿入口３６ｂと、コイルばね３５の一端の接線方向に延び出した部分３５ａを回転しないように拘束する係止孔３６ｃと、コイルばね３５の他端の接線方向に延び出した部分３５ｂの旋回を許容する溝３６ｄ等を備えている。この構成により、ばね収納部３６の保持空間３６ａ内にコイルばね３５をセットしておけば、コイルばね３５が脱落することはなく、また、ばね収納部３６にコイルばね３５をセットした状態でその蓋１６を図４、図７に示すように、フロントボディ２に取り付けることで、コイルばね３５の他端の部分３５ｂがフロントボディ２の支持面３８で支持され、コイルばね３５は常時、蓋１６に対して開方向（図７で時計方向）の付勢力を加えることができる。
【００３２】
更に、図４、図７、図８等に示すように、フロントボディ２及び蓋１６には、コイルばね３５で開方向に付勢されている蓋１６を閉じた状態に保持する係止手段４０が設けられている。この係止手段４０は、図１２（ａ）、（ｂ）に拡大して示すように、蓋１６の先端部分に形成された係止用凸部４２と、フロントボディ２の、閉じた状態の蓋２の先端部分に面する領域に隆起した形状に一体に形成された押しボタン部４３を備えている。この押しボタン部４３は指で押すための押し面４３ａと、その押し面４３ａを支えるように押し面の全周に形成された側壁４３ｂ、４３ｃを備えている。蓋１６の先端部分に面する側に配置された側壁４３ｂは平面状に形成されており、その表面に、蓋１６の係止用凸部４２に係止する凸部４３ｄを備えている。押しボタン部４３は、押し面４３ａを矢印Ｆで示すように押した時に、平面状の側壁４３ｂが、蓋１６の係止用凸部４２から離れる方向に容易に傾き、係止用凸部４２と凸部４３ｄとの係止が外れるような構造に作られている。
【００３３】
このような特性を備えた押しボタン部４３の構造は、図示の実施の形態に限定されるものではないが、本実施の形態では、平面状の側壁４３ｂの根本の部分に、押し面４３ａを押した時に側壁４３ｂが全体として容易に傾くように、薄肉部４３ｅを形成し、更に、他の側壁４３ｃの根本の領域には変形を容易とするよう薄肉のＵ字状部分４３ｆを形成している。この構成により、図１２（ａ）に示すように、押しボタン部４３の押し面４３ａを押すと、Ｕ字状部分４３ｆが変形しやすいことから、図１２（ｂ）に示すように、押し面４３ａの下端領域が押し込まれ、これによって、凸部４３ｄを形成している側壁４３ｂが全体として、蓋１６の係止用凸部４２から離れる方向に傾き、蓋１６を解放する。かくして、押しボタン部４３の押し面４３ａのどこを押しても、蓋１６の拘束を解除でき、ワンタッチで確実に蓋１６を開くことができる。このような押しボタン部４３の構造は、押しボタン部４３をフロントボディ２と一体構造に（同一樹脂で）成形して実現できるので、コストダウンを図ることができる。なお、蓋１６の拘束を解除するための手段としては、フロントボディ２と一体構造で形成した押しボタン部に限定されず、別部品の押しボタンを用いる構成としてもよい。
【００３４】
図２において、５０は、この湿潤材収納用容器１に収納するのに好適な湿潤材の１例を示すものであり、ここでは、枚葉タイプの複数枚のウエットティッシュ５１を、各ウエットティッシュ５１の一部がそれに続く次のウエットティッシュの一部の中に折り込まれる形態で積み重ね、袋５２内に収容したウエットティッシュ袋５０を示している。このウエットティッシュ袋５０は、その前面の上端領域に開封用シール５３を備えており、この開封用シール５３を剥がすことで、この位置にウエットティッシュの取出し口を形成でき、その取出し口からウエットティッシュ５１を次々と引き出すことができる。このウエットティッシュ袋５０を、各ウエットティッシュ５１が縦方向となり、且つ開封用シール５３を配した部分がフロントボディ２の取出し口１５に向かい合うように収納することでウエットティッシュ包装体を形成できる。
【００３５】
フロントボディ２の取出し口１５は、このような形態のウエットティッシュ袋５０のウエットティッシュ５１を良好に取り出すことができ且つウエットティッシュ５１の一部を取出し口１５の下端領域に引っかかった状態に保持できる構造のものである。具体的には、図１３、図１４に示すように、取出し口１５の下端縁１５ａ、１５ｂをＶ字状とすると共に、そのＶ字の下端領域に、横側から一方が他方の下側に入り込むように延びる形状に２個の横舌片５５、５６を設け、その横舌片５５、５６の間に、前記下端縁１５ａと同方向に延びるよう斜めに狭い第一通路５８を形成し、下側の横舌片５５の先端領域に、第一通路５８につながるようにやや大きいサイズの第二通路５９を形成し、更に、下側の横舌片５５の下方に上向きに延びるように縦舌片６０を設け、その横舌片５５と縦舌片６０の間に、第二通路５９につながる狭い第三通路６１を設け、更に縦舌片６０の横に、第三通路６１につながる第四通路６２を設けるという構成としている。
【００３６】
ここで、狭い第一通路５８と第三通路６１を小さい角度で交差するような形態で配置したことにより、この取出し口１５からウエットティッシュ５１（図２参照）を引き出した際に、そのウエットティッシュ５１の一部が下端縁１５ａ、１５ｂで案内されて第一通路５８、第二通路５９、第三通路６１、第四通路６２等に入り、これらを通り抜ける際に、主として狭い第一通路５８と第三通路６１によって適度な抵抗が与えられる。このため、最初に引き出されたウエットティッシュ５１によって次のウエットティッシュ５１が引き出された際に、次のウエットティッシュ５１は第一通路５８と第三通路６１のところに引っ掛かり、その位置に保持される。かくして、枚葉のウエットティッシュ５１を引き出す際に、１枚のウエットティッシュのみが引き出され、後続のウエットティッシュは取出し口１５の下端領域に引っ掛かり、先端が取出し口１５から突出した状態で保持され、次の引き出しに備えることとなる。また、１枚のウエットティッシュを引き出した際に、後続のウエットティッシュが複数枚固まって引き出されそうになることがあるが、これらも第一通路５８、第三通路６１を形成する横舌片５５、５６及び縦舌片６０によって拘束され、複数枚のウエットティッシュが一緒に引き出されることもない。また、１枚（１枚目）のウエットティッシュ５１の後端部分に引っ張られ、取出し口１５に溜まった後続のウエットティッシュ５１の先端部分は、図４から分かるように、閉じた状態の蓋１６と取出し口１５との間の空間に潰されることなく保持される。このため、次回の使用時に、そのウエットティッシュ先端部分を容易につまんで引き出すことができる。
【００３７】
図１３、図１４において、第一通路５８と第三通路６１を形成する横舌片５５、５６及び縦舌片６０の変形しやすさ及び第一通路５８と第三通路６１のギャップ寸法は、ウエットティッシュの引き抜き特性に影響する。すなわち、横舌片５５、５６及び縦舌片６０があまり変形せず、且つ、第一通路５８と第三通路６１の間隔が狭い場合には、ウエットティッシュを引き出す際の抵抗が大きくなって好ましくないとか、後続のウエットティッシュが第一通路５８と第三通路６１内に入ることができず、容器内に落ちてしまうといった問題が生じる。一方、横舌片５５、５６及び縦舌片６０が変形し易す過ぎる場合とか、第一通路５８と第三通路６１の間隔が広過ぎる場合、複数枚のウエットティッシュが一緒に引き出されてしまう。そこで、これらの問題が生じないように、横舌片５５、５６及び縦舌片６０の変形しやすさ及び第一通路５８と第三通路６１のギャップ寸法を定めればよい。この横舌片５５、５６及び縦舌片６０を適度に変形しやすくしておくと、ウエットティッシュを引き出す際に横舌片５５、５６や縦舌片６０が変形して第一通路５８及び第三通路６１のギャップが広がり、第一通路５８と第三通路６１のギャップ寸法の影響を小さくできる利点が得られる。第一通路５８と第三通路６１のギャップ寸法は、使用対象のウエットティッシュに応じて適宜設定すればよいが、目安として、１〜３ｍｍ程度を例示できる。
【００３８】
本発明者らが種々テストした結果、横舌片５５、５６を変形しやすくする場合、その根本部分を支点として全体的に傾くように変形させることがウエットティッシュの引き出し特性向上に好ましいことが判明した。そこで、この実施の形態では、横舌片５５、５６の根本部分に湾曲した易変形部５５ａ、５６ａを形成し、且つその易変形部５５ａ、５６ａよりも先端側の領域には補強用のリブ５５ｂ、５６ｂを設けている。
【００３９】
次に、上記構成の湿潤材収納用容器１の使用方法を説明する。この湿潤材収納用容器１は、図２に示すウエットティッシュ袋５０を収納したウエットティッシュ包装体として、市販等の流通に供される。これを入手した人は、フロントボディ２前面の押しボタン部４３の押し面４３ａを押して蓋１６を開き、取出し口１５から指を入れてウエットティッシュ袋５０の前面の開封用シール５３を剥がし、最初のウエットティッシュ５１を引き出し、取出し口１５の下端領域の第一通路５８や第三通路６１に引っかけておく。なお、ウエットティッシュ袋５０の開封は、フロントボディ２とリアボディ３を分解してウエットティッシュ袋５０を取り出して行っても良い。最初のウエットティッシュ５１を引き出して取出し口１５の下端領域に引っかけた後は、蓋１６を閉じる。これにより、使用準備が終了し、その湿潤材収納用容器１は立てた状態で適当な場所に置かれて使用される。
【００４０】
ウエットティッシュを取り出すには、単に指で押しボタン部４３の押し面４３ａを押す。これにより、蓋１６の係止が解除され、蓋１６はコイルばね３５の付勢力によって自動的に開くので、取出し口１５に引っかかっているウエットティッシュ先端をつまんで引き出せばよい。１枚のウエットティッシュを取出し口１５から引き出した際に、後続のウエットティッシュの先端が一緒に引き出され、取出し口１５の下端領域の第一通路５８や第三通路６１に引っかかった状態で保持される。その後、蓋１６を閉じる方向に旋回させ且つ押し込むことで、蓋１６を閉じた状態とすることができる。以上のように、単に、指で押しボタン部４３の押し面４３ａを押し、蓋１６が開いた後はウエットティッシュを引き出し、次いで蓋１６を閉じる方向旋回させ押し込むという簡単な操作を行うことで、１枚のウエットティッシュを引き出すことができ、且つ湿潤材収納用容器１を元の状態に戻すことができる。収納していたウエットティッシュを使い終わった後は、新たなウエットティッシュ袋５０を入手し、フロントボディ２とリアボディ３を分解してウエットティッシュ袋５０を入れ替え、上記した動作を繰り返せば良い。
【００４１】
以上に本発明の好適な実施の形態を説明したが、本発明はこの実施の形態に限定されるものではなく、特許請求の範囲の記載の範囲内で適宜変更可能である。例えば、湿潤材収納用容器１に収納する湿潤材は、枚葉のウエットティッシュに限らず、巻き取った形態の連続したウエットティッシュでもよいし、更には布状のものでもよい。また、上記した実施の形態では、フロントボディ２に、フロントボディ２とリアボディ３で形成する縦型の容器の天面及び側面の最外面よりも内側に引っ込んだ位置に傾斜した壁部２０を設け、その壁部２０に取出し口１５を形成しているが、このような内側に引っ込んだ壁部を省略し、縦型の容器の天面及び側面に直接開口するように取出し口を設ける構成とするとか、側面の上端領域のみに開口するように取出し口を設ける構成とするなどの変更を加えても良い。縦型の容器の側面の上端領域のみに開口するように取出し口を設ける構成とした場合には、容器側面の取出し口を形成する側面を、上端に近づくにつれて後退する方向に傾斜させ、取出し口が斜め上方に向かって開口するようにすることが、湿潤材を取り出し易いので好ましい。
【図面の簡単な説明】
【００４２】
【図１】（ａ）、（ｂ）は本発明の実施の形態に係る湿潤材収納用容器を、蓋を閉じた状態及び蓋を開いた状態で示す概略斜視図
【図２】図１に示す湿潤材収納用容器を分解して且つその中に入れるウエットティッシュ袋と共に示す概略斜視図
【図３】（ａ）、（ｂ）、（ｃ）は図１に示す湿潤材収納用容器の概略正面図、概略側面図、及び概略平面図
【図４】図１に示す湿潤材収納用容器の概略断面図
【図５】（ａ）は嵌合部５、６の概略断面図、（ｂ）は嵌合部５、６及びフック９を示す概略断面図
【図６】フック９を係止した部分を示す概略断面図
【図７】フロントボディを、それに取り付けている蓋を開いた状態で示す概略断面図
【図８】フロントボディを、蓋を取り外した状態で示す概略正面図
【図９】図８のＡ−Ａ概略断面図
【図１０】（ａ）、（ｂ）、（ｃ）、（ｄ）は、蓋の概略側面図、概略裏面図、概略断面図及び概略端面図
【図１１】（ａ）は蓋のコイルばね収納部分を示す概略斜視図、（ｂ）、（ｃ）はそれぞれ、蓋を（ａ）のＢ−Ｂ方向、Ｃ−Ｃ方向に見た概略断面図
【図１２】（ａ）、（ｂ）は蓋を閉じた状態に保持する係止手段を示す概略断面図
【図１３】取出し口の概略正面図
【図１４】図１３のＤ−Ｄ概略断面図
【符号の説明】
【００４３】
１  湿潤材収納用容器
２  フロントボディ
３  リアボディ
５、６  嵌合部
９  フック
１０  凹み
１１  凸部
１５  取出し口
１５ａ、１５ｂ  下端縁
１６  蓋
１８  天面の最外面
１９  側面の最外面
２０  壁部
２２  垂直壁
２３  支持ピン
２５  軸受孔
２８、２９  外面
３０  取出し口側リブ
３１  受け面
３３  蓋側リブ
３５  コイルばね
３６  ばね収納部
４０  係止手段
４２  係止用凸部
４３  押しボタン部
４３ａ  押し面
４３ｂ、４３ｃ  側壁
４３ｄ  凸部
４３ｅ  薄肉部
４３ｆ  Ｕ字状部分
５０  ウエットティッシュ袋
５１  ウエットティッシュ
５２  袋
５３  開封用シール
５５、５６  横舌片
５５ａ、５６ａ  易変形部
５５ｂ、５６ｂ  リブ
５８  第一通路
５９  第二通路
６０  縦舌片
６１  第三通路
【図１】
2006282243.tif 000003
【図２】
2006282243.tif 000004
【図３】
2006282243.tif 000005
【図４】
2006282243.tif 000006
【図５】
2006282243.tif 000007
【図６】
2006282243.tif 000008
【図７】
2006282243.tif 000009
【図８】
2006282243.tif 000010
【図９】
2006282243.tif 000011
【図１０】
2006282243.tif 000012
【図１１】
2006282243.tif 000013
【図１２】
2006282243.tif 000014
【図１３】
2006282243.tif 000015
【図１４】
2006282243.tif 000016